【事件の表示】
　平成１０年特許願第　３６５４７号「編集画像印刷システムおよび方法」拒絶査定不服審判事件〔平成１１年　７月２１日出願公開、特開平１１−１９４９０３〕について、次のとおり審決する。
【結　論】
　本件審判の請求は、成り立たない。
【理　由】
第１　手続きの経緯
　本願は、平成１０年２月４日（優先権主張平成９年２月１９日、平成９年１０月３１日）の出願であって、平成１９年１月１１日付けで拒絶理由が通知され、平成１９年３月２０日付けで手続補正がなされたが、平成２０年３月３日付けで拒絶査定がなされ、これに対し、同年４月８日に拒絶査定不服審判の請求がなされるとともに、同日付けで手続補正がなされたものである。
　
第２　本願発明
　平成２０年４月８日付けの補正（以下、「本件補正」という。）は、補正前の請求項５の内容を補正前の請求項１及び請求項７２にそれぞれ付加し、補正前の請求項３４の内容を補正前の請求項３０、請求項７０及び請求項７１にそれぞれ付加し、また、補正前の請求項６５，請求項６６及び請求項７０−７２の内容を修正し、さらに、補正前の請求項２−２９、３４、３９−４６、４９−５０、５５−５８を削除し、そして、請求項の番号を修正したものである。
　そして、本件補正後の請求項１９に記載された発明（以下、「本願発明」という。）は、本件補正前の請求項６２に記載された発明と同一の次のとおりのものである。
「画像サーバから送信された第１の画像データと画像編集装置に記憶されている第２の画像データとを用いて、１駒の編集画像を生成する画像編集手段、および
　上記編集画像の生成に関する情報と、上記第１の画像データを特定するための画像識別情報と、上記画像編集手段において編集画像の生成に用いられた上記第２の画像データとを、上記画像サーバに送信する画像生成データ送信手段、
　を備えた画像編集装置。」
　
第３．引用例
　原査定の拒絶の理由に引用された特開平６−３５９９９号公報（以下「引用例１」という。）には、図面と共に次の事項が記載されている。
　
ａ）「本発明は、処理／編集後のイメージを、編集前のイメージデータとそれに対する処理／編集データとによって表現することに着目したものである。すなわち、イメージ・サーバ側は、編集前のイメージデータのみを保持しているため、
ワークステーション側から処理／編集データが転送されてきた場合
ネットワーク上を転送されるデータは、処理／編集データだけであるから、ネットワークに対する負荷軽減
　
ｂ）「図１は本実施例における
オリジナルイメージと編集データによるイメージの表現例を説明するための図
ｌｅａｆ  ｎｏｄｅにあるイメージデータをオリジナルイメージデータと記載し、オリジナルデータを合成するために必要な処理や編集を編集データ
【００２２】図２は、本発明における一実施例の全体概略構成を説明するための図である。図２において、ネットワーク２１には、クライアント２２と、イメージ・サーバ２３と、プリント・サーバ２４とが接続されている。クライアント２２は、クライアント処理装置３１と、従来から存在するイメージ処理／編集装置３２とから構成され、ネットワーク２１に接続されているイメージ・サーバ２３から編集されたイメージを要求することができる。また、イメージ処理／編集装置３２は、必要によりイメージスキャナ２５を備えることができる。
【００２３】図３は本発明におけるクライアントを説明するための一実施例構成図である。図３において、
クライアント２２におけるクライアント処理装置３１は、ネットワーク２１にクライアント２２を接続するネットワーク接続処理部３１１と、編集データの解析、
処理／編集などの操作を編集データとしてイメージ・サーバ２３に送ることにより、クライアント２２側での処理に適したイメージデータを得たり、あるいは処理の一部をイメージ・サーバ２３で行なう等の処理を行なうクライアント処理部３１２と、イメージ・サーバ２３から送られてきたイメージを処理編集するイメージ処理編集部３１４と、イメージを編集する編集データを保持する編集データ保持部３１３と、イメージデータのみを保持するイメージデータ保持部３１５と、前記イメージ処理編集部３１４によって処理編集された編集イメージを保持する編集イメージ保持部３１６とから構成される。
　
ｃ）「図４は本発明におけるイメージ・サーバを説明するための一実施例構成図である。図４において、イメージ・サーバ２３は、ネットワーク２１にイメージ・サーバ２３を接続するネットワーク接続処理部４１と、編集データの解析、イメージ・サーバ２３においてイメージを処理するかまたはクライアント２２においてイメージを処理するかの切り替え、あるいは処理／編集などの操作を編集データとしてクライアント２２側での処理に適したイメージデータを送る等の処理を行なうサーバ処理部４２と、クライアント２２から送られてきたイメージ、または後述のイメージデータ保持部３１５に保持されたイメージデータを編集データに基づいて処理編集するイメージ処理編集部４４と、イメージを編集する編集データを一時保持する編集データ保持部４３と、編集用のイメージデータのみを一時保持する編集イメージ保持部４５と、編集データを保存する編集データ保存部４８と、当該編集データ保存部４８に保存されている編集データを管理する編集データ管理部４６と、イメージデータを保存するイメージデータ保存部４９と、当該イメージデータ保存部４９のイメージデータを管理するイメージデータ管理部４７とから構成される。
【００２５】
イメージ・サーバ２３では、クライアント２２側で処理／編集されるオリジナルイメージをすべて保持している。したがって、クライアント２２側から編集データを送り、イメージ・サーバ２３におけるイメージ処理編集部４４は、前記編集データに基づいて、所望のイメージを生成する。
　
ｄ）「図５は本発明の画像編集処理システムにおける概略構成図である。図５において、画像編集処理システムは、ネットワーク５１、および当該ネットワーク５１に接続されたイメージ・サーバ５２と、ワークステーション５３と、プリント・サーバ５４とから構成される。また、ネットワーク５１には、他のワークステーション５５を必要により接続できる。そして、ワークステーション５３では、イメージをイメージスキャナ５６によって入力することができる。たとえば、
ワークステーション５３に接続されているイメージスキャナ５６から入力されたイメージデータは、ネットワーク５１を介してイメージ・サーバ５２へ転送され、新規に作成された編集データと共に、取り出す際に都合の良いＩＤを付けて管理できるようにして、図４に示す編集データ保存部４８およびイメージデータ保存部４９にそれぞれ格納される。
【００２７】
上記イメージを、イメージ編集用ワークステーション５５で編集する際には、
イメージ・サーバ５２では、
要求されたイメージデータを作成し、サーバ処理部４２を通してクライアントである、イメージ編集用ワークステーション５５に編集データと共に送り返す。これらの転送されたデータを基に、たとえばイメージ編集用ワークステーション５５では、編集が行なわれ、その内容が編集データとして記述される。
編集結果をディスプレイに表示する際には、編集データとオリジナルイメージデータを基に、イメージ編集用ワークステーション５５のイメージ処理編集部３１４によって生成されたイメージが表示される。
　
　
　これらの記載によれば、引用例１には、
「イメージサーバ側で、クライアント（ワークステーション）側から送信された編集データと保持しているオリジナルイメージデータとに基づいて、所望のイメージを生成させるため、
　前記編集データをイメージ・サーバへ送信するクライアント処理部を備えるとともに、
　イメージを編集する編集データを保持する編集データ保持部と、オリジナルイメージデータのみを保持するイメージデータ保持部、イメージサーバから送られたオリジナルイメージデータを基に、編集を行うイメージ処理編集部を備え、その編集の内容が編集データとして記述されるようになした、
クライアント」の発明（以下「引用例１記載の発明」という。）が開示されていると認めることができる。
　
第４．対比
　そこで、本願発明と引用例１記載の発明とを比較すると、引用例１記載の発明の「イメージ・サーバ」は、本願発明の「画像サーバ」に相当し、以下同様に、「クライアント（ワークステーション）」は「画像編集装置」に相当する。さらに、引用例１記載の発明の「オリジナルイメージデータ」は、編集される前の画像データである点で、本願発明の「第１の画像データ」及び「第２の画像データ」と共通している。
　また、引用例１記載の発明の「編集データ」は、オリジナルイメージデータを合成するために必要な処理や編集を行うためのデータで、編集データのみイメージ・サーバ側に送って、イメージサーバ側で、オリジナルイメージデータを特定するとともに、イメージの編集処理を行うことが可能であることから、本願発明における「編集画像の生成に関する情報」と「画像データを特定するための画像識別情報」を含んだものである。また、引用例１記載の「イメージ処理編集部」は、本願発明の「画像編集手段」に相当し、引用例１記載の発明の「クライアント処理部」は、編集データをイメージ・サーバに送信する点で、本願発明の「画像生成データ送信手段」に相当する。
　
　したがって、両者は次の点で一致する。
＜一致点＞
「画像サーバから送信された画像データを用いて、１駒の編集画像を生成する画像編集手段、および
　上記編集画像の生成に関する情報と、上記画像データを特定するための画像識別情報とを、上記画像サーバに送信する画像生成データ送信手段、
　を備えた画像編集装置。」
　
　そして、両者は次の点で相違する。
＜相違点１＞
　本願発明は、画像サーバから送られた第１の画像データと、「画像編集処理装置に記憶されている第２の画像データ」と用いて、編集画像を生成し、そして、編集画像の生成に用いられた上記第２の画像データとを、上記画像サーバに送信するのに対し、引用例１記載の発明は、画像サーバから送られた画像データを編集処理すると記載されている点。
　
第５．相違点の判断
　画像サーバに保存されていないオリジナルイメージデータについては、前記「第３．引用例」のｄ）に摘記したように、画像編集処理装置（クライアント）での編集前に、予め画像サーバ（イメージ・サーバ）へ送信し、画像識別情報を付して画像サーバに保存することが記載されている。そして、画像サーバ側でクライアント側から送られた編集データに基づいて、イメージの編集処理を行うためには、編集データが送られてくると同時又はその前までに該オリジナルイメージデータが送信されていれば良いことは、当業者であれば容易に想到し得る事項であるから、相違点１に係る発明の構成は、該引用例１の記載から、当業者が適宜なし得ることである。
　
　そして、本願発明が奏する作用、効果についてみても、引用文献１記載の発明から当業者が予想できる程度のものである。
　　　
第６．むすび
　以上のとおり、本願発明は、引用例１に記載された発明に基づいて、当業者が容易に発明をすることができたものであるから、特許法第２９条２項の規定により特許を受けることができない。
　よって、結論のとおり審決する。